(57)【特許請求の範囲】
【請求項１】
１つ以上のウェブサービスを記憶するように構成されたサービスライブラリと、
ネットワークに接続され、前記サービスライブラリ内に記憶されたウェブサービスに対する展開要求を受信して遂行するようにした１つ以上のサービスホストであって、これら展開要求を遂行することに、１つ以上のウェブサービスの１つ以上のサービスエンドポイントをインスタンス化することが含まれるようにしている当該サービスホストと、
前記サービスホストに接続され、前記１つ以上のサービスホストに関連するデータを記憶するように構成されたホストディレクトリと、
前記１つ以上のサービスホストに関連する前記記憶されたデータに基づく応答を検索するために前記ホストディレクトリに問合せし、前記記憶されたウェブサービスに基づく応答を検索するために前記サービスライブラリに問合せし、前記検索された応答に基づく展開プランを発生させ、前記発生させた展開プランに基づく展開要求を前記１つ以上のサービスホストに送信するように構成されたマネージャと、
各サービスホストの前記サービスエンドポイントのエントリを登録するとともに維持するように構成されたディレクトリを有するディスカバリサービスと、
サービスコンシューマエージェントと
を具え、
前記サービスコンシューマエージェントは、
コンシューマエージェントと、
前記コンシューマエージェントが結合されているポイントオブプレゼンスであって、前記ディスカバリサービスと通信するように構成されているとともに、１つ以上のサービスエンドポイントに結合されるように構成されている当該ポイントオブプレゼンスと
を有し、
前記マネージャは更に、前記ホストディレクトリ及び前記サービスライブラリに問合せし、１つ以上の前記ウェブサービスと１つ以上の前記サービスホストとを整合し、展開要求を１つ以上の前記サービスホストに送信するように構成される、ウェブサービス提供システム。
【請求項２】
請求項１に記載のウェブサービス提供システムにおいて、前記サービスライブラリは更に、前記１つ以上のウェブサービスをパブリッシャから受信するように構成されているウェブサービス提供システム。
【請求項３】
請求項１に記載のウェブサービス提供システムにおいて、前記１つ以上のサービスホストは更に、前記ウェブサービスの利用に関する情報を前記マネージャに送信するように構成されているウェブサービス提供システム。
【請求項４】
請求項１に記載のウェブサービス提供システムにおいて、前記１つ以上のサービスホストは更に、前記１つ以上のサービスホストに関連するデータを前記ホストディレクトリに送信するように構成されており、前記１つ以上のサービスホストに関連する前記データには利用可能なリソースを含めるようにしたウェブサービス提供システム。
【請求項５】
請求項１に記載のウェブサービス提供システムにおいて、前記ディスカバリサービスは更に、前記ウェブサービスの１つに対応するＵＲＩを受信するとともに、この１つのウェブサービスが展開される前記サービスエンドポイントの１つに対応するＵＲＬを要求し且つ解決するように構成されているウェブサービス提供システム。
【請求項６】
１つ以上のウェブサービスをサービスライブラリ内に記憶させるステップと、
１つ以上のサービスホストに関連するデータをホストディレクトリ内に記憶させるステップと、
前記１つ以上のサービスホストの各々における１つ以上のサービスエンドポイントでの前記１つ以上のウェブサービスの展開を、マネージャにより、制御するステップと
を具えるウェブサービス提供方法において、
ウェブサービスの展開を制御する前記ステップが、
前記記憶されたウェブサービスに基づく応答を検索するために、前記サービスライブラリに問合せするステップと、
前記１つ以上のサービスホストに関連する前記記憶されたデータに基づく応答を検索するために、前記ホストディレクトリに問合せするステップと、
前記検索された応答に基づく展開プランを発生させるステップと、
展開要求を前記発生させた展開プランに基づく前記１つ以上のサービスホストに送信するステップと、
前記展開要求に応答して前記ウェブサービスのうちの１つのウェブサービスの前記１つ以上のサービスエンドポイントをインスタンス化するステップと、
各サービスホストの前記サービスエンドポイントのエントリを、ディレクトリを有するディスカバリサービス内に登録するとともに維持するステップと、
コンシューマエージェントをポイントオブプレゼンスに結合するステップであって、前記コンシューマエージェントは前記ポイントオブプレゼンスに結合され、前記ポイントオブプレゼンスは、前記ディスカバリサービスと通信するとともに、１つ以上のサービスエンドポイントに結合される、結合するステップと、
を具え、
前記ウェブサービスの展開を制御する前記ステップが更に、
前記１つ以上のサービスホストに関連するデータを検索するために及び前記１つ以上のウェブサービスに関する情報を検索するために、前記サービスライブラリ及び前記ホストディレクトリに問合せするステップと、
前記１つ以上のウェブサービスに関する前記情報及び前記１つ以上のサービスホストに関連する前記データを用いて、１つ以上の前記ウェブサービスと１つ以上の前記サービスホストとを整合するステップと、を具えている、ウェブサービス提供方法。
【請求項７】
請求項６に記載のウェブサービス提供方法において、この方法が更に、前記サービスライブラリにおいてパブリッシャから前記１つ以上のウェブサービスを受信するステップを具えているウェブサービス提供方法。
【請求項８】
請求項６に記載のウェブサービス提供方法において、この方法が更に、前記ウェブサービスの利用に関する情報を前記１つ以上のサービスホストから前記マネージャに送信するステップを具えているウェブサービス提供方法。
【請求項９】
請求項６に記載のウェブサービス提供方法において、この方法が更に、前記１つ以上のサービスホストに関連する前記データを、前記１つ以上のサービスホストから前記ホストディレクトリに送信するステップを具え、前記１つ以上のサービスホストに関連する前記データは、利用可能なリソースを有するようにするウェブサービス提供方法。
【請求項１０】
請求項６に記載のウェブサービス提供方法において、この方法が更に、前記ディスカバリサービスで、前記ウェブサービスの１つに対応するＵＲＩを受信するとともに、この１つのウェブサービスが展開される前記サービスエンドポイントの１つに対応するＵＲＬを要求し且つ解決するステップを具えているウェブサービス提供方法。
【請求項１１】
コンシューマエージェントをポイントオブプレゼンスに結合するステップと、
所望のウェブサービスのＵＲＩに対応するサービスエンドポイントに対応するＵＲＬを解決するために、前記ポイントオブプレゼンスを介してディスカバリサービスと通信するステップと、
前記ポイントオブプレゼンスを前記サービスエンドポイントに結合するステップと
を具えるウェブサービス消費方法において、
前記ディスカバリサービスは、マネージャと通信するように構成され、このマネージャは、１つ以上のサービスホストに関連するホストディレクトリ内に記憶されたデータに基づく応答を検索するためにホストディレクトリに問合せし、サービスライブラリ内に記憶されたウェブサービスに基づく応答を検索するために前記サービスライブラリに問合せし、前記検索された応答に基づく展開プランを発生し、展開及び展開解除要求を前記発生させた展開プランに基づく１つ以上のサービスホストに送信するように構成され、１つのサービスホストは、前記サービスエンドポイントをインスタンス化するように構成されており、
前記ディスカバリサービスは、ディレクトリを有し、該ディレクトリは、各サービスホストの前記サービスエンドポイントのエントリを登録するとともに維持するように構成され、
前記マネージャは更に、前記ホストディレクトリ及び前記サービスライブラリに問合せし、１つ以上の前記ウェブサービスと１つ以上の前記サービスホストとを整合し、展開要求及び展開解除要求を１つ以上の前記サービスホストに送信するように構成される、ウェブサービス消費方法。
【請求項１２】
請求項１１に記載のウェブサービス消費方法において、前記ホストディレクトリは、前記１つ以上のサービスホストに関連するデータを記憶するように構成されているウェブサービス消費方法。
【請求項１３】
請求項１１に記載のウェブサービス消費方法において、前記ディスカバリサービスは、少なくとも前記所望のウェブサービスを記憶するように構成されているサービスディレクトリを含むウェブサービス消費方法。
【請求項１４】
実行時に１つ以上のコンピュータデバイスがウェブサービス提供方法を遂行するようにするコンピュータ実行可能命令を含む非一時的コンピュータ可読媒体であって、前記ウェブサービス提供方法は、
１つ以上のウェブサービスをサービスライブラリ内に記憶するステップと、
１つ以上のサービスホストに関連するデータをホストディレクトリ内に記憶させるステップと、
前記１つ以上のサービスホストの各々における１つ以上のサービスエンドポイントでの前記１つ以上のウェブサービスの展開を、マネージャにより、制御するステップと
を具えており、ウェブサービスの展開を制御する前記ステップが、
前記記憶されたウェブサービスに基づく応答を検索するために、前記サービスライブラリに問合せするステップと、
前記１つ以上のサービスホストに関連する前記記憶されたデータに基づく応答を検索するために、前記ホストディレクトリに問合せするステップと、
前記検索された応答に基づく展開プランを発生させるステップと、
展開要求を前記発生させた展開プランに基づく前記１つ以上のサービスホストに送信するステップと、
前記展開要求に応答して前記ウェブサービスのうちの１つのウェブサービスの前記１つ以上のサービスエンドポイントをインスタンス化するステップと、
各サービスホストの前記サービスエンドポイントのエントリを、ディレクトリを有するディスカバリサービス内に登録するとともに維持するステップと、
コンシューマエージェントをポイントオブプレゼンスに結合するステップであって、前記コンシューマエージェントは前記ポイントオブプレゼンスに結合され、前記ポイントオブプレゼンスは、前記ディスカバリサービスと通信するとともに、１つ以上のサービスエンドポイントに結合される、結合するステップと
を具えているようにし、
前記ウェブサービスの展開を制御する前記ステップが更に、
前記１つ以上のサービスホストに関連するデータを検索するために及び前記１つ以上のウェブサービスに関する情報を検索するために、前記サービスライブラリ及び前記ホストディレクトリに問合せするステップと、
前記１つ以上のウェブサービスに関する前記情報及び前記１つ以上のサービスホストに関連する前記データを用いて、１つ以上の前記ウェブサービスと１つ以上の前記サービスホストとを整合するステップと、
を具えるようにした非一時的コンピュータ可読媒体。
【請求項１５】
請求項１４に記載の非一時的コンピュータ可読媒体であって、更に、前記サービスライブラリにおいてパブリッシャから前記１つ以上のウェブサービスを受信するステップを具えている非一時的コンピュータ可読媒体。
【請求項１６】
請求項１４に記載の非一時的コンピュータ可読媒体であって、更に、前記ウェブサービスの利用に関する情報を前記１つ以上のサービスホストから前記マネージャに送信するステップを具えている非一時的コンピュータ可読媒体。
【請求項１７】
請求項１４に記載の非一時的コンピュータ可読媒体であって、更に、前記１つ以上のサービスホストに関連する前記データを、前記１つ以上のサービスホストから前記ホストディレクトリに送信するステップを具え、前記１つ以上のサービスホストに関連する前記データは、利用可能なリソースを有するようにした非一時的コンピュータ可読媒体。
【請求項１８】
請求項１４に記載の非一時的コンピュータ可読媒体であって、更に、前記ディスカバリサービスで、前記ウェブサービスの１つに対応するＵＲＩを受信するとともに、この１つのウェブサービスが展開される前記サービスエンドポイントの１つに対応するＵＲＬを要求し且つ解決するステップを具えている非一時的コンピュータ可読媒体。
【請求項１９】
実行時に１つ以上のコンピュータデバイスがウェブサービス消費方法を遂行するようにするコンピュータ実行可能命令を含む非一時的コンピュータ可読媒体であって、前記ウェブサービス消費方法は、
コンシューマエージェントをポイントオブプレゼンスに結合するステップと、
所望のウェブサービスのＵＲＩに対応するサービスエンドポイントに対応するＵＲＬを解決するために、前記ポイントオブプレゼンスを介してディスカバリサービスと通信するステップと、
前記ポイントオブプレゼンスを前記サービスエンドポイントに結合するステップと
を具えており、
前記ディスカバリサービスは、マネージャと通信するように構成され、このマネージャは、前記１つ以上のサービスホストに関連するホストディレクトリ内に記憶されたデータに基づく応答を検索するためにホストディレクトリ問合せし、サービスライブラリ内に記憶されたウェブサービスに基づく応答を検索するために前記サービスライブラリに問合せし、前記検索された応答に基づく展開プランを発生し、展開及び展開解除要求を前記発生させた展開プランに基づく１つ以上のサービスホストに送信するように構成され、１つのサービスホストは、前記サービスエンドポイントをインスタンス化するように構成されており、
前記ディスカバリサービスは、各サービスホストの前記サービスエンドポイントのエントリを登録するとともに維持するように構成されているディレクトリを有し、
前記マネージャは更に、前記ホストディレクトリ及び前記サービスライブラリに問合せし、１つ以上の前記ウェブサービスと１つ以上の前記サービスホストとを整合し、展開要求及び展開解除要求を１つ以上の前記サービスホストに送信するように構成される、
非一時的コンピュータ可読媒体。
【請求項２０】
請求項１９に記載の非一時的コンピュータ可読媒体において、前記ホストディレクトリは、前記１つ以上のサービスホストに関連するデータを記憶するように構成されている非一時的コンピュータ可読媒体。
【請求項２１】
請求項１９に記載の非一時的コンピュータ可読媒体において、前記ディスカバリサービスは、少なくとも前記所望のウェブサービスを記憶するように構成されているサービスディレクトリを含む非一時的コンピュータ可読媒体。
【発明の詳細な説明】
【技術分野】
【０００１】
本発明は、サービス指向型コンピューティング（計算）、特にウェブ（Web）サービス
アーキテクチャに関するものであるが、このウェブサービスアーキテクチャに限定される
ものではない。
【０００２】
[関連出願の相互参照]
本出願は、２０１１年９月２０日に出願された出願番号61/536,826の米国特許仮出願の
優先権を主張するものであり、この米国特許仮出願の内容は、参考のために導入されるも
のである。
【背景技術】
【０００３】
サービス指向型コンピューティング（Service-Oriented Computing；ＳＯＣ）は、柔軟
で動的なビジネスプロセスと、組織化及びコンピューティングプラットフォームに及ぶア
ジャイルアプリケーションとを生ぜしめるように疎結合しうるサービス網へのアプリケー
ションコンポーネントのアセンブリを推進させるものである。サービス指向型コンピュー
ティングは、密結合されたコンポーネントベースの分散システムを、サービス業務に対す
るアドレス指定、結合及び行使に対し同様な技術を用い得る広いサービス網に発展させる
手法として出現している。
【０００４】
サービス指向型コンピューティングによれば、自律性及び異質性への傾向を反映する新
たなアーキテクチャを生ぜしめる方法を提供しうる。サービス指向型コンピューティング
の柔軟で疎結合された処理を可能としうる分散型アーキテクチャは、サービス指向型アー
キテクチャ（Service-Oriented Architecture;ＳＯＡ）称することができ、そのソフトウ
ェアサービスが主要構成要素となる。ＳＯＡの指標特徴は、疎結合された自律性サービス
と、マクロ（サービス）レベルでのコードの再利用の推進と、アーキテクチャのコンポー
ザビリティとの間の相互運用である。
【０００５】
ＳＯＡは、３つのプライマリーエンティティ（基本的な実体）、すなわちプロバイダ、
コンシューマ及びレジストリより構成することができる。プロバイダは、レジストリ中の
サービスロケーション（サービス位置）をパブリッシュ（publish）でき、コンシューマ
は、プログラムするサービスを位置決めして起動するのにレジストリを用いることができ
る。ＳＯＡの実装により、サービスを記述するのに用いられる言語を特定し、サービスを
パブリッシュするとともに発見する手段を提供し、プロトコルを決定するとともにこれら
プロトコルとの相互作用を達成するのに用いられる通信機構を決定することができる。イ
ンターネット上でのソフトウェアサービスの展開が、“ウェブサービス”として総称的に
知られているような一組（セット）の基準を用いて益々達成されるようになってきている
。
【０００６】
ウェブサービスはプラットフォーム非依存型基準、例えば、Ｗ３Ｃワーキンググループ
の取り組みにより開発された基準に基づくようにしうる。これらの基準は、プロトコルと
、メッセージフォーマットと、サービス記述言語とを規定することができ、これらにより
、クライアントと、異種のコンピューティングプラットフォームに関するサービスとの間
の相互作用をインターネット上で達成するようにしうる。
【０００７】
ウェブサービスにより導入される基準によれば、分散システムを、密結合された分散ア
プリケーションから、疎結合されたサービスシステムに発展させる手段を提供しうる。ま
た、これらの基準は、良好に規定されたインターフェースを用いたメッセージの交換によ
る異種のコンピューティングプラットフォーム間の相互運用を達成しうる。プラットフォ
ーム非依存型ウェブサービス基準は、実装及びホスティング技術を抽出することにより、
現存する異種サービスに対するアクセスを均質化するとともに、何れかの特定の実装又は
ホスティング技術を採用することを強要することなく新たなサービスを開発することを推
進する手段を提供しうる。ウェブサービスモデルは広く採用されているが、その期待値は
少なくとも２つの制約により弱められるおそれがある。
【０００８】
第１に、ウェブサービスモデルが固定され、信頼性の高いホストとのネットワーク化さ
れた信頼性の高い環境に対してのみ適したものとなるおそれがある。従って、インターネ
ット上でのホストのダイナミズム及び誤謬性を考慮しそこなうおそれがあり、ホスト障害
に対して堅牢とすることを目的とするアプリケーションにおいて障害回復コードが幾つも
存在するようになるおそれがある。第２に、サービスプロバイダの役割が過剰であり且つ
その仕様が曖昧であることが、独占所有権のある展開システムの開発や、ウェブサービス
の使用が付随的なものにすぎない閉ざされた世界環境をもたらすおそれがある。これらの
２つの欠点を抱えると、ウェブサービスモデルを広く採用することにより、ウェブサービ
スインターフェースをエクスポーズ（expose）するが、展開システム及びホスティング環
境を必要とする点で殆ど両立しえないアプリケーションにより、ソフトウェアサービスの
ランドスケープが著しくポピュレートされるようになるおそれがある。
【発明の概要】
【発明が解決しようとする課題】
【０００９】
従って、改良したウェブサービスアーキテクチャが必要となる。
【課題を解決するための手段】
【００１０】
本発明の要旨の一態様では、ウェブサービス提供システムが、１つ以上のウェブサービ
スを記憶するように構成したサービスライブラリを設ける。ネットワークに接続される１
つ以上のサービスホストは、サービスライブラリに記憶されるウェブサービスに対する展
開及び展開解除要求を受信するとともに遂行するようにする。これら展開及び展開解除要
求の遂行には、ウェブサービスの１つ以上のエンドポイントをインスタンス化することを
含めることができる。サービスホストに接続されるホストディレクトリは、サービスホス
トに関連するデータを記憶するように構成する。マネージャは、ホストディレクトリ及び
サービスライブラリに問合せし、展開プランを発生し、展開及び展開解除要求をサービス
ホストに送信するように構成する。
【００１１】
本発明の一例においては、サービスライブラリは、ウェブサービスを、パブリッシャ（
Publisher）から受信するように構成することができる。サービスホストは、ウェブサー
ビスの利用に関する情報をマネージャに送信するようにしうる。サービスホストは、１つ
以上のサービスホスト、例えば利用可能なリソース（資源）に関連するデータをホストデ
ィレクトリに送信しうる。
【００１２】
本発明の一例では、ウェブサービス提供システムが、各サービスホストに対応するエン
ドポイントのエントリを登録するとともに維持するように構成しうるディレクトリを有す
るディスカバリサービスを具えるようにしうる。ディレクトリサービスは、ウェブサービ
スと、当該ウェブサービスが展開されるエンドポイントの対応する組との間のマッピング
を記憶しうる。ディレクトリサービスは、ウェブサービスの１つに対応する統一資源識別
子（ＵＲＩ）を受信するとともに、この１つのウェブサービスが展開されるエンドポイン
トの１つに対応するＵＲＬを要求し且つ解決するように構成しうる。
【００１３】
本発明の要旨の他の態様では、ウェブサービス提供方法が、１つ以上のウェブサービス
をサービスライブラリ内に記憶するステップと、１つ以上のサービスホストに関連するデ
ータをホストディレクトリ内に記憶させるステップとを具えるようにする。このウェブサ
ービス提供方法は、１つ以上のサービスホストの各々における１つ以上のサービスエンド
ポイントでの１つ以上のウェブサービスの展開及び展開解除を、マネージャにより、制御
するステップを具えるようにする。ウェブサービスの展開及び展開解除を制御するこのス
テップは、ウェブサービスに関する情報及びサービスホストに関連するデータを検索する
ために、サービスライブラリ及びホストディレクトリに問合せするステップと、これら情
報及びデータを用いて、展開プランを発生させるステップと、展開及び展開解除要求をサ
ービスホストに送信するステップと、展開及び展開解除要求に応答してウェブサービスの
１つ以上のサービスエンドポイントをインスタンス化するステップとを具えるようにしう
る。
【００１４】
本発明の要旨の更に他の態様では、ウェブサービス消費方法が、コンシューマエージェ
ントをポイントオブプレゼンスに結合するステップを具えるようにする。ポイントオブプ
レゼンスは、所望のウェブサービスのＵＲＩに対応するサービスエンドポイントに対応す
るＵＲＬを解決するために、ディスカバリサービスと通信するようにしうる。ポイントオ
ブプレゼンスはサービスエンドポイントに結合するようにしうる。ディスカバリサービス
は、マネージャと通信するようにし、このマネージャは、ホストディレクトリ及びサービ
スライブラリに問合せし、展開プランを発生し、展開及び展開解除要求を１つ以上のサー
ビスホストに送信するように構成する。
【図面の簡単な説明】
【００１５】
【図１】本発明の要旨によるウェブサービスを提供するシステムの一実施例のサービスプロバイダ部分を示す線図である。
【図２】本発明の要旨によるウェブサービスを提供するシステムの一実施例のディスカバリサービス及びサービスプロバイダ部分を示す線図である。
【図３】本発明の要旨によるウェブサービスを提供及び消費するシステムの一実施例のサービスコンシューマ（消費者）、ディスカバリサービス及びサービスプロバイダを示す線図である。
【図４】本発明の要旨によるウェブサービスを提供及び消費する方法の一実施例を示す流れ図である。
【図５】本発明の要旨の一実施例による、サービスコンシューマとローカルのポイントオブプレゼンス（ＰＯＰ）との間の代表的な相互作用を示す線図である。
【図６】本発明の要旨の一実施例による、パブリッシャとサービスライブラリとの間の代表的な相互作用を示す線図である。
【図７】本発明の要旨の一実施例による、サービスホストとホストディレクトリとの間の代表的な相互作用を示す線図である。
【図８】本発明の要旨の一実施例による、ポイントオブプレゼンスとアクティブサービスディレクトリとの間の代表的な相互作用を示す線図である。
【図９】本発明の要旨の一実施例による、アクティブサービスディレクトリとマネージャとの間の代表的な相互作用を示す線図である。
【図１０ａ】本発明の要旨の一実施例による、マネージャとサービスライブラリとの間の代表的な相互作用を示す線図である。
【図１０ｂ】本発明の要旨の一実施例による、マネージャとホストディレクトリとの間の代表的な相互作用を示す線図である。
【図１０ｃ】本発明の要旨の一実施例による、マネージャとサービスホストとの間の代表的な相互作用を示す線図である。
【図１０ｄ】本発明の要旨の一実施例による、マネージャとサービスホストとの間の代表的な相互作用を示す線図である。
【図１０ｅ】本発明の要旨の一実施例による、マネージャとアクティブサービスディレクトリとの間の代表的な相互作用を示す線図である。
【図１１】本発明の要旨の一実施例によるエンドポイントの展開を示す線図である。
【図１２】本発明の要旨の一実施例によるサービスの起動を示す線図である。
【図１３】本発明の要旨の一実施例による需要増大に伴う動的展開を示す線図である。
【発明を実施するための形態】
【００１６】
図面全体に亘って同じ参照符号は、特に注釈しない限り、図示の実施例における同様な
機能、要素、コンポーネント（構成素子）又は部分を示すのに用いられているものである
。更に、本発明の要旨を図面に関して詳細に説明するが、これは図示の実施例に関するも
のであり、本発明をこれらに限定するものではない。
【００１７】
ここで用いる用語“アクタ”とは、アクションを起こす（処置を講じる）のに応答しう
るエンティティを称しうるものである。例えば、アクタには自動コンピュータプログラム
を含めることができる。或いはまた、“アクタ”は、コンピュータのオペレータにより制
御するのに適したユーザインターフェースを有するコンピュータプログラムを称しうるも
のである。
【００１８】
ここで用いる用語“インフラストラクチャ”とは、ここで述べる動作状態で存在するア
ーキテクチュアの構成要素を総称しうるものであり、これは如何なる特定の実装（インプ
リメンテーション）にも依存しないものである。
【００１９】
ここで用いる用語“ウェブサービス”とは、ネットワークを通じたソフトウェアサービ
スの展開を称しうるものである。また、ここで用いる用語“ウェブサービス”はネットワ
ークを通じたソフトウェアサービスの展開に限定されるものではない。その理由は、当業
者にとって明らかなように、このようなサービスは、ローカルエリアネットワークＬＡＮ
等のような他のネットワークにおいても展開させることができる為である。
【００２０】
本発明の要旨に関連しているウェブサービスに対して、記述用としたある種類の基準（
ＷＳＤＬ（Web Service Definition Language））と、広告（宣伝）及び発見用としたあ
る種類の基準（ＵＤＤＩ（Universal Description, Discovery and Integration））と、
通信用としたある種類の基準（ＳＯＡＰ（Simple Object Access Protocol））とを説明
の目的で記載するが、本発明はこれらに限定されるものではない。当業者にとって明らか
なように、ＲＥＳＴ（REpresentational State Transfer）のような他の適切な基準を用
いることができ、本発明は以下の説明に限定されるものではない。
【００２１】
ウェブサービスはＳＯＡＰを用いてメッセージの交換をする相互作用を行うことができ
る。ＳＯＡＰは、プログラミング言語及びプラットフォームに依存しないウェブサービス
に対する通信プロトコルを規定するものであり、この通信プロトコルは広範囲の転送プロ
トコルに亘って用いることができる。例えば、ＳＯＡＰ over ＨＴＴＰは、ウェブサービ
スの定義を結合（バインディング）する基準プロトコルとして用いることができる。
【００２２】
ＳＯＡＰメッセージには、メッセージに対する名前空間を規定する“エンベロープ”と
称しうるouter ＸＭＬ要素と、メッセージングフレームワークに対する何らかの適切な拡
張子を有する任意のヘッダ要素と、必要とするボディ要素とを含むことができる。ボディ
要素は、情報を最終のＳＯＡＰレシーバに送信するが、この役割を越えて特定されず、明
確な構造又は解釈も、なすべき何らかの処理を特定する手段もない機構を提供しうるもの
である。
【００２３】
ＷＳＤＬは、ウェブサービスをＸＭＬで記述する用語である。サービスのコンポーネン
トインターフェース記述は、ウェブサービスエンドポイントを位置決めし、このエンドポ
イントに結合（バインド）し、このエンドポイントと相互作用させるのに必要とする情報
を含めることができるＷＳＤＬ文書として実現しうる。ＷＳＤＬ文書は、ウェブサービス
エンドポイントをこれらの動作に関して記述するＸＭＬ文書要素と、（型の定義を含む）
各動作のパラメータ及び戻り値と、通信に用いるプロトコル及びデータバインディング（
データ結合）から構成される。
【００２４】
リクエスタエージェントソフトウェアは、例えば、特定の言語でプロキシ又は“スタブ
”コードを生成させる自動コード生成ツールを用いてエンドポイントのＷＳＤＬ文書に対
して記述しうる。これらは、ジャバ（Java）に対する“WSDL to Java”のようなスタンド
アローンツールや、コードをPerl、Ｃ＋＋、Ｃ＃、ＰＨＰ、等で生成するジェネレータに
対しプラグ接続可能なフレームワークを生じるビジュアルスタジオ（Visual Studio）及
びエクリプス（Eclipse）におけるようなＩＤＥベースのものとすることができる。
【００２５】
本発明の要旨の代表的な実施例を図１、図２、図３及び図４を参照して以下に記載する
が、これらは説明の為のものであり、本発明を限定するものではない。
【００２６】
代表的な実施例で図１を参照するに、ウェブサービスを提供するシステムにサービスプ
ロバイダコンポーネント１１０を設けることができる。このサービスプロバイダコンポー
ネント１１０は、例えば、コンピュータプログラムで具現化しうる。コンピュータプログ
ラムは、ＣＤ‐ＲＯＭ、ＤＶＤ、磁気ディスク、ＲＯＭ、ＲＡＭ、等のようなコンピュー
タ可読媒体に記憶させることができる。プログラムの命令は、例えば、ネットワーク又は
分散コンピュータシステムに接続されたサーバのような１つ以上のコンピューティングデ
バイス内に含まれる１つ以上のプロセッサのメモリ内に読み込むことができる。実行に際
し、プログラムはコンピューティングデバイスの種々のコンポーネントを制御することを
プロセッサに命令することができる。プログラム中の一連の命令を実行することにより、
ここに開示するある機能をプロセッサが遂行するようにするが、本発明の要旨の実装用の
ソフトウェア命令の代わりに又はこれと組み合わせて配線回路を用いることができる。従
って、本発明の実施例は、ハードウェアとソフトウェアとの特定の如何なる組み合わせに
も限定されるものではない。
【００２７】
代表的な実施例では、サービスプロバイダコンポーネント１１０には、例えば、１つ以
上のウェブサービスを記憶しうるように構成したサービスライブラリ１３０を設けること
ができる。このサービスライブラリ１３０は、例えば、パブリッシャ１６０に接続するこ
とができ、このパブリッシャ１６０はウェブサービスを記憶のためにサービスライブラリ
１３０に対し“パブリッシュ”しうる。ネットワークに接続されたサービスホスト１４７
は、サービスライブラリ１３０内に記憶されたウェブサービスに対する展開及び展開解除
要求を受け且つ遂行するように適合させることができる。例えば、展開及び展開解除要求
を遂行するのに、１つのウェブサービスの１つ以上のエンドポイント１４３のインスタン
ス化（具体化）を含めることができる。ホストディレクトリ１２０はサービスホスト１４
７に接続することができ、１つ以上のサービスホスト１４７に関連するデータを記憶する
ように構成しうる。マネージャ１５０は、ホストディレクトリ１２０及びサービスライブ
ラリ１３０に問合せ（クエリ）し、展開プランを発生させ、展開及び展開解除要求をサー
ビスホスト１４７に送信することができる。
【００２８】
サービスホスト１４７は、ウェブサービスの利用に関する情報をマネージャ１５０に送
信するように構成しうる。サービスホスト１４７は、これらの利用可能なリソースに関連
するデータをホストディレクトリ１２０に送信するように構成することもできる。
【００２９】
この代表的な実施例では、ウェブサービス提供能力を、互いに独立した複数の役割に分
割し、各アクタにとって必要とするドメインに関する知識の量を低減させ、ウェブサービ
スを提供するのに参加することに関する障壁を低下させることにより、ウェブサービスの
ライフサイクル中の参加者に対する複雑性を低減させることができる。例えば、ウェブサ
ービスをパブリッシング、展開及びホスティングするタスクを個別的で独立する活動とし
て処理しうる。従って、サービスプロバイダコンポーネント１１０を３つの個別的な“ア
クタ”、すなわちパブリッシャ１６０、マネージャ１５０及びサービスホスト１４７とみ
なすことができるが、このことは説明のためのものであり、本発明をこれに限定するもの
ではない。その他に、２つのアーキテクチャエンティティ、すなわちサービスライブラリ
１３０及びホストディレクトリ１２０と称するリポジトリが存在している。
【００３０】
ウェブサービスプロバイダエージェントによる実装は、明示的に展開させるのに代えて
、パブリッシャ１６０により記述しうるようにでき、この場合パブリッシャ１６０が、こ
の実装をサービスライブラリ１３０と称するリポジトリ内に記憶させることによりインフ
ラストラクチャ内に“パブリッシュ”する。この方法は、サービスの実証を実際の具現化
から分離させることによるウェブサービスの展開に対する方法を表す。すなわち、ウェブ
サービスのライフサイクルを、その展開時ではなくそのパブリッシュ時から開始するよう
にしうる。
【００３１】
インフラストラクチャに参加するために、サービスホスト１４７は、これらの利用可能
なリソースを記述するとともにホストディレクトリ１２０と称するリポジトリに登録する
ことにより、これらサービスホストの意思をホストのウェブサービスに登録しうる。サー
ビスホスト１４７は、これらの利用可能なウェブサービス展開コンテナを表すとともに、
パブリッシャ１６０のリスト、すなわちこれらサービスホストが展開しようとしているウ
ェブサービスプロバイダエージェントによる実装を特定することができる。従って、サー
ビスホスト１４７は、これらの静的に展開されるサービスを広告するのではなく、デマン
ドレベルが変化するのに対応させる必要がある際にマネージャ１５０により動的に消費（
及びリクレイム）しうる潜在的なホスティングリソースの共用プールを結合するこれらの
ホスティング能力を広告することにより、インフラストラクチャに参加することができる
。
【００３２】
マネージャ１６０は、（いつでも０個以上のエンドポイント１４０を存在させうる）単
一のウェブサービスのプロビジョニング（提供）レベルを管理する責任を負う場合がある
。マネージャ１６０は、展開を成立させるために、最初にサービスライブラリ１３０及び
ホストディレクトリ１２０に問合せし、次いでウェブサービスの実装を適切に有能である
サービスホスト１４７と組合せることにより展開計画を立てるようにしうる。このマネー
ジャ１６０は、展開要求をサービスホスト１４７に送信し（ステップ４３３）、これによ
りこのサービスホスト１４７がウェブサービスのエンドポイント１４０をインスタンス化
する（又は要求を拒否する）責任を負う場合がある。サービスホスト１４７は、これらの
ドメイン内で展開される各ウェブサービスのエンドポイントの利用に関する情報を各ウェ
ブサービスのマネージャ１５０に提供しうる。マネージャ１５０はこの利用データを用い
て、これらが管理するウェブサービスが必要とするプロビジョニングレベルに関して決定
を行うことができる。
【００３３】
代表的な他の実施例で図２を参照するに、ウェブサービスを提供するシステムには、デ
ィスカバリサービスコンポーネント２１０を設けることができる。このディスカバリサー
ビスコンポーネント２１０は、例えば、サービスプロバイダコンポーネント１１０と同様
に、コンピューティングデバイスで実行されるコンピュータプログラムで構成することが
できる。このコンピューティングデバイスは、インターネットのようなネットワークを介
してサービスプロバイダコンポーネント１１０に結合された、このサービスプロバイダコ
ンポーネント１１０のコンピューティングデバイスとは異なる物理的に分離したデバイス
とすることができる。或いはまた、ディスカバリサービスコンポーネント２１０をホステ
ィングするコンピューティングデバイスは、サービスプロバイダコンポーネント１１０を
ホスティングするコンピューティングデバイスと同じにすることができる。特に、これら
のコンピューティングデバイス及びここに記載する全ての他のコンピューティングデバイ
スは、本発明の精神及び範囲内で単一のデバイス、デバイスの集合、ネットワーク等とし
て構成しうる。
【００３４】
ディスカバリサービスコンポーネント２１０には、アクティブサービスディレクトリ２
２０を設けることができる。このアクティブサービスディレクトリ２２０は例えば、サー
ビスライブラリ１３０内に記憶されたウェブサービスと、ウェブサービスが展開されてい
るエンドポイント１４３の対応する組との間のマッピングを記憶するように構成しうる。
【００３５】
アクティブサービスディレクトリ２２０は、単一のウェブサービスとこのウェブサービ
スの一組の能動的なエンドポイント１４３との間のマッピングを保持しうる。アーキテク
チュアにおける中心となるエンティティ、すなわちアクティブサービスディレクトリ２２
０に保持された集合的なマッピングにより、全ての参加者の見通しからのインフラストラ
クチャの現在の状態を表すことができる。全てのインフラストラクチャの参加者はアクテ
ィブサービスディレクトリ２２０に頼ることにより所望のウェブサービスのエンドポイン
ト１４３を位置決めしうる為、このディレクトリは、現在展開されているエンドポイント
を有さないウェブサービスに対する自動展開処理を開始するようにしうる。
【００３６】
アクティブサービスディレクトリ２２０は、ウェブサービスのアクティブなエンドポイ
ント１４３を加え、除去し及び検索する動作を提供しうる（ステップ４５０）。アクティ
ブサービスディレクトリ２２０が特定のウェブサービスのアクティブなエンドポイントに
対する検索要求を受けるが、このようなエントリが存在しない場合には、アクティブサー
ビスディレクトリ２２０は積極的に位置決めして、要求されたウェブサービスのマネージ
ャ１５０に情報提供する。マネージャは、前述した展開処理を用いて新たなエンドポイン
ト１４３の展開を動的に開始しうる。このマネージャ１５０は、これが管理するウェブサ
ービスの新たに展開される如何なるエンドポイント１４３にも対する全てのアクティブサ
ービスディレクトリ２２０のエントリを挿入及び維持するために応答しうる。例えば、ウ
ェブサービスに対するデマンドがゼロに減少する場合には、マネージャ１５０は、展開さ
れるエンドポイント１４３の１つ（又は全て）を展開解除することを決定することができ
る。エンドポイント１４３が展開解除された場合には、マネージャ１５０はこのエンドポ
イントのエントリをアクティブサービスディレクトリ２２０から除外し、このディレクト
リが更新状態を保ち、インフラストラクチャの現在の状態をできるだけ正確に反映するよ
うにしうる。
【００３７】
代表的な更に他の実施例で図３を参照するに、ウェブサービスを提供するシステムには
サービスコンシューマコンポーネン３１０を設けることができる。このサービスコンシュ
ーマコンポーネン３１０は、例えば、サービスプロバイダコンポーネント１１０と同様に
、コンピューティングデバイスで実行されるコンピュータプログラムで構成することがで
きる。このコンピューティングデバイスは、インターネットのようなネットワークを介し
てサービスプロバイダコンポーネント１１０に結合された、このサービスプロバイダコン
ポーネント１１０のコンピューティングデバイスとは異なる物理的に分離したデバイスと
することができる。或いはまた、サービスコンシューマコンポーネント３１０をホスティ
ングするコンピューティングデバイスは、サービスプロバイダコンポーネント１１０をホ
スティングするコンピューティングデバイスと同じコンピューティングデバイスの部分に
することができる。
【００３８】
サービスコンシューマコンポーネント３１０には、コンシューマエージェント３２０と
ポイントオブプレゼンス３３０とを設けることができる。ディスカバリサービスコンポー
ネント２１０は、例えば、サービスライブラリ１３０内の１つ以上のウェブサービスに対
応するＵＲＩを受信し、存在する場合には展開されたウェブサービスのエンドポイント１
４３に対応する１つ以上のＵＲＬを要求するとともにこれを解決するように構成すること
ができる。特定のウェブサービスの複数の実装を、ある実施例と関連してサービスライブ
ラリ１３０に対しパブリッシュしうる。これらの実装の各々は、同じＵＲＩに対応する。
特定のウェブサービスは、例えば、多数の異なる言語を用いるか、又は１つ以上の異なる
展開環境を要求するか、或いはこれらの双方を行って実装することができる。これらの実
装の各々は、サービスライブラリ１３０内に記憶させることができるとともに、同じＵＲ
Ｉに対応させることができ、しかもこれらの実装の各々により同じインターフェースを実
装し、特定の実装の何れか１つに対する呼出しにより同じ返答をもたらし得るようにする
。コンシューマエージェント３２０はポイントオブプレゼンス３３０に結合させることが
できる。ポイントオブプレゼンス３３０はディスカバリサービスコンポーネントと通信す
ることができるとともに、ＵＲＬを用いてエンドポイント１４３に結合させることができ
る。このポイントオブプレゼンス３３０は、サービスロケーションに関して抽象化すると
ともにコンシューマエージェント３２０のビューを維持し、これによりウェブサービスの
インスタンス化へのコンシューマエージェントに対するゲートウェイとして作用するよう
に構成することができる。
【００３９】
この代表的な実施例に関してここに開示する技術では、ウェブサービスを記述するのに
ＵＲＬを用いる必要がないようにする。その理由は、ＵＲＬは時間と共に無効となるおそ
れがある為である。その代り、如何なる時点でも０個以上のアクティブエンドポイントを
有しうるサービスを抽象的に記述するＵＲＩでウェブサービスを識別しうるようにする。
サービスコンシューマコンポーネント３１０では、サービスエンドポイント１４３に対す
る位置決め及び結合のタスクをサービスコンシューマコンポーネントの代わりに遂行する
機構を導入することにより、これらのタスクを取除くことができる。
【００４０】
この技術によれば、起動要求に含まれるＵＲＩからライブエンドポイントＵＲＬを透過
的に解決しうるウェブサービスの消費に対し制限されたメディエーションフレームワーク
を提供しうる。このフレームワークは、上述したように且つ図３に示すように、アーキテ
クチュアである“ポイントオブプレゼンス”のインスタンス化へのゲートウェイとして作
用しうるサービスコンシューマコンポーネント３１０に存在するプロキシ機構として実現
しうる。コンシューマエージェント３２０のソフトウェアは、このローカルのポイントオ
ブプレゼンス３３０に結合されるとともに、所望のウェブサービスのＵＲＩを用いてウェ
ブサービスの動作を呼出すように書き表すことができる。ポイントオブプレゼンス３３０
は、ウェブサービスのアクティブエンドポイントのリストをアクティブサービスディレク
トリ２２０から検索し、使用するエンドポイントを選択し、サービスコンシューマコンポ
ーネント３１０のために必要な動作を呼出し、何らかの結果を戻すことにより、ＵＲＩか
らＵＲＬを透過的に解決するために応答しうるようにできる。また、これは、ウェブサー
ビスが展開されるサービスホスト１４７及びこれらウェブサービスの不履行を透過的に検
出及び回復させたり、（ローカルポリシーに応じて）他のエンドポイント１４３を再試行
することによりこれらの不履行を積極的に回復させたりするように応答しうるようにもす
ることができる。回復不能なエラーはサービスコンシューマコンポーネント３１０に戻し
、インフラストラクチャのリソースが利用可能であると仮定して、現在では要求を満足で
きないということを表すようにすることができる。
【００４１】
ポイントオブプレゼンス３３０は、サービスロケーションに関して抽象化しうるととも
に、依然としてコンシューマ３１０のビューをシステム上に維持することができる。例え
ば、ディベロッパーがウェブサービスを、これが現在展開されているか展開されていない
かに拘らず、プログラミングするようにすることにより、コンシューマエージェント３２
０のアプリケーションを簡単化することができる。更に、ディスカバリサービスコンポー
ネント２１０との相互作用を必要とする全てのタスクを消費する為、ポイントオブプレゼ
ンス３３０は、インフラストラクチュアで用いられる特定の標準バージョン（例えば、Ｕ
ＤＤＩバージョン）に関して抽象化層を提供しうる。これにより、標準の発展に直面して
陳腐化することに対する障壁を提供しうるとともに、コンシューマエージェントのアプリ
ケーションを、異なる標準を用いている環境間でのポータブルアプリケーションとするこ
とができる。
【００４２】
代表的な更に他の実施例で図４を参照するに、ウェブサービスを提供する方法には、１
つ以上のウェブサービスをサービスライブラリ内に記憶するステップ（ステップ４１０）
を設けることができる。サービスライブラリは例えば、パブリッシュされたウェブサービ
スをパブリッシャから受信しうる（ステップ４１１）。１つ以上のサービスホストに関連
するデータは、ホストディレクトリ内に記憶させることができる（ステップ４２０）。例
えば、ホストディレクトリは、サービスホストに関連するデータ、例えば、サービスホス
トがホスティングをしようとしているパブリッシャからの利用可能なリソースに関するデ
ータを受信することができる（ステップ４２２）。マネージャは、各サービスホストにお
けるサービスエンドポイントに関するウェブサービスの展開及び展開解除を制御しうる（
ステップ４３０）。例えば、マネージャは、ウェブサービスに関する情報及びサービスホ
ストに関連するデータを検索するためにサービスライブラリ及びホストディレクトリに問
合せしうる（ステップ４３１）。次いで、マネージャは、ウェブサービスに関する情報及
びサービスホストに関連するデータを用いて展開プランを発生させることができる（ステ
ップ４３２）。次いで、マネージャは、展開及び展開解除要求をサービスホストに送信し
うる（ステップ４３３）。次いで、サービスホストは展開要求に応答してウェブサービス
をインスタンス化するか（ステップ４３４）、又は展開解除要求に応答してウェブサービ
スをインスタンス化解除しうる。利用データ及びその他の情報はサービスホストからマネ
ージャにフィードバックすることができる（ステップ４４０）。
【００４３】
マネージャは、ウェブサービスを展開するエンドポイントに関する情報を、アクティブ
サービスディレクトリを含むディスカバリサービスコンポーネントに送信しうる（ステッ
プ４５０）。サービスコンシューマは、ＵＲＩ要求を、例えばローカルのポイントオブプ
レゼンスを介してディレクトリサービスに送信しうる（ステップ４６０）。このディレク
トリサービスはマネージャと関連して、ＵＲＩ要求に応答してＵＲＬ応答を生じることが
でき（ステップ４７０）、サービスコンシューマは所望のウェブサービスをホスティング
するエンドポイントに結合しうるようになる。
【００４４】
ここに開示するシステムのあるコンポーネント間の代表的な相互作用に関し図５〜図１
０を参照して以下に記載するが、これは説明の目的のためであり、本発明をこれに限定す
るものではない。
【００４５】
本発明の要旨の実施例によれば、図５を参照するに、サービスコンシューマ３１０は、
必ずしもウェブサービスのエンドポイントと直接相互作用する必要はない。例えば、サー
ビスコンシューマ３１０は、ローカルのポイントオブプレゼンス３３０に結合させ、その
動作を起動させることができる。ＰＯＰはサービスコンシューマ３１０とコロケートする
ことができる。すなわち、コンシューマエージェント３２０は、例えば、プロトコル、ホ
スト名及びローカルＵＲＩのポートが付されたウェブサービスのＵＲＩへの静的な結合を
達成させるように書き表すことができる。
【００４６】
例えば、ＵＲＩ“ServiceA”により識別されるウェブサービスの動作“ｘ”を起動する
ことを図５に示す。コンシューマエージェントのアプリケーションはＰＯＰに結合させ、
その動作を起動させることができ、次いでこのＰＯＰが要求されたウェブサービスのエン
ドポイントを位置決めすることができる。ＰＯＰは、ＵＲＩ“ServiceA”をパラメータと
して有する“findAll”動作（“全てを見い出せ”という動作）を起動させることにより
検索要求をアクティブサービスディレクトリ２２０に送信することができるとともに、“
ServiceA”（５４１、５５１及び５５２）の現在能動的であるアクティブエンドポイント
５４０及び５５０を記述しているサービスインスタンスディスクリプタのリストを受信し
うる。ＰＯＰは、エンドポイントに接続してサービスコンシューマのために動作“ｘ”を
起動する前に、どのエンドポイントを選択するかのローカルポリシーをユーザに供給する
ことができる。この動作の結果をＰＯＰに戻し、最終的にコンシューマエージェント３２
０のアプリケーションに戻すことができる。
【００４７】
本発明の要旨の実施例によれば、図６を参照するに、パブリッシャ１６０は、ウェブサ
ービスの実装をパブリッシュ及びアンパブリッシュ（パブリッシュ解除）するためにサー
ビスライブラリ１３０と相互作用するサービスコンシューマとしうるが、必ずしもこのよ
うにする必要はない。パブリッシャ１６０には、他のサービスコンシューマ（例えば、３
１０）と同様に、コンシューマエージェント６１０及びポイントオブプレゼンス６２０を
設け、外部の如何なるウェブサービスとも直接相互作用する必要がないようにし、その代
りローカルのポイントオブプレゼンス６２０を介して所望の動作を起動させるようにする
ことができる。
【００４８】
例えば、（サービスインプリメンテーションディスクリプタで記述された）ウェブサー
ビスの実装をパブリッシュするために、パブリッシャ１６０をローカルのポイントオブプ
レゼンス６１０に結合させ、所望のサービスインプリメンテーションディスクリプタを有
するサービスライブラリ１３０の“publishServiceImplementation”（サービスインプリ
メンテーションをパブリッシュせよ）の動作を起動しうる。インプリメンテーション（実
装）がパブリッシュされると、このインプリメンテーションが直ちに使用しうるようにな
り、需要を満足させるのに必要な可能なサービスホスト上で展開しうるようになる。
【００４９】
本発明の要旨の実施例によれば、図７を参照するに、サービスホスト１４７は、サービ
スプロバイダの役割に寄与することと、サービスコンシューマとしても作用することとの
双方を達成するようにしうるが、必ずしもこのようにする必要はない。サービスホスト１
４７には、他のサービスコンシューマ（例えば、３１０）と同様に、コンシューマエージ
ェント７１０及びローカルのポイントオブプレゼンス７２０を設けることができる。この
サービスホスト１４７自体には、例えば、ホストディスクリプタを用いてホストディレク
トリ１３０を記述することによりこのホストディレクトリ１３０を登録し、このサービス
ホスト１４７が、ローカルのポイントオブプレゼンス７２０に結合され、ホストディレク
トリ１３０の“addAuthorizedPublisher”（認可されたパブリッシャを加える）の動作を
起動するようにしうる。従って、ローカルのポイントオブプレゼンス７２０を介してサー
ビスホスト１４７を動作させることにより登録処理を遂行でき、同じ起動処理をインフラ
ストラクチュアにより全てのサービスコンシューマに提供しうる。登録時には、サーバホ
ストのホストディスクリプタを、需要を満足させるのに必要なものとして消費する準備の
あるホスティングリソースの共用プールに加えることができる。
【００５０】
本発明の要旨の実施例によれば、図８を参照するに、何れかのサービスコンシューマ３
１０と関連するポイントオブプレゼンス３３０は、サービスコンシューマ３１０のための
ウェブサービスに関し位置決めし、結合し、動作を起動しうるトランスペアレントのエン
ドポイントレゾリューション及び障害回復システムとしうる。例えば、ウェブサービスの
アクティブインスタンスを位置決めするために、ポイントオブプレゼンスを“アクティブ
サービスディレクトリ”８１０と称するウェブサービスと相互作用させ、ウェブサービス
のＵＲＩをパラメータとして有するその“findOne”動作（“１つを見い出せ”という動
作）又は“findAll”動作（“全てを見い出せ”という動作）の何れかを起動させるよう
にする。
【００５１】
アーキテクチュアのインスタンス化に関与するためには、ローカルのポイントオブプレ
ゼンスがアクティブサービスディレクトリの少なくとも１つのエンドポイント８１０の予
備知識を有するようにしうる。アクティブサービスディレクトリの如何なる他のエンドポ
イントも、ウェブサービスのＵＲＩ“Active Service Directory”の下でアクティブサー
ビスディレクトリ２２０内にリストアップすることができるとともに、“findOne”及び
“findAll”動作を用いて位置決めすることができる。ＰＯＰは、失敗時に使用するため
に、アクティブサービスディレクトリの他のエンドポイントのリストを検索し且つ記憶さ
せるようにすることができる。
【００５２】
本発明の要旨の実施例によれば、図９を参照するに、アクティブサービスディレクトリ
２２０が、ゼロのアクティブエンドポイントを有するウェブサービスに対する検索要求を
受信すると、このウェブサービスのマネージャ１５０のインスタンスを位置決めしてエン
ドポイントを展開しうるようにする。アクティブサービスディレクトリ２２０は、そのロ
ーカルのポイントオブプレゼンスに結合し、且つ最初に要求されたウェブサービスに対し
応答しうるマネージングエントリ９２０のＵＲＩを用いてアクティブサービスディレクト
リ“findOne”又は“findAll”動作を起動することにより、独自の検索機能を利用するこ
とができる。このＵＲＩは、例えば、“Manager ”のＵＲＩを要求されたウェブサービス
のＵＲＩに連結させてパターン“WebServiceURI_ManagerURI”が得られるように構成する
ことができる。アクティブサービスディレクトリは、“Manager”インターフェースを実
装するウェブサービスのエンドポイントを記述するサービスインスタンスディスクリプタ
（ServiceInstanceDescriptor）を返信することができる。
【００５３】
マネージャ１５０は、これらが管理しているウェブサービスのディレクトリの記録を維
持する責任を負う場合がある為、マネージャ１５０は、これらが展開している如何なるエ
ンドポイントの記録をも、アクティブサービスディレクトリ２２０内に挿入しうるように
する。マネージャ１５０は、この動作を、例えば“requestFirstInstance”（“第１のイ
ンスタンスを要求せよ”）の起動により遂行し、展開及び登録処理の全体が成功裏に終了
された場合には“true”を返信し、その他の場合には“false”を返信する。“false”を
返信する“requestFirstInstance”動作は、システムが現在の状況にあると、ウェブサー
ビスの新たなインスタンスを展開することができないということを表すことができる。こ
の状態は、要求中のエンティティ（すなわち、サービスコンシューマ）に返信しうる回復
不能なエラーを表しうる。動作により“true”を返信する場合には、アクティブサービス
ディレクトリ２２０は最初に要求された検索動作を再遂行し、新たに挿入されたサービス
インスタンスディスクリプタを要求中のエンティティに返信することができる。
【００５４】
本発明の要旨の実施例によれば、図１０を参照するに、マネージャ１５０は、以下に例
示的な説明するように（この説明に限定されない）、サービスライブラリ１３０、ホスト
ディレクトリ１２０、１つ以上のサービスホスト１４７及びアクティブサービスディレク
トリ２２０を有する種々のコンポーネントと通信することができる。例えば、図１０ａを
参照するに、マネージャ１５０は、展開されるウェブサービスの一組の実装を検索するた
めにサービスライブラリ１３０の動作を起動することができる。これらの実装の各々を、
サービスインプリメンテーションディスクリプタで記述することができる。すなわち、こ
のディスクリプタのエレメントを後にマネージャ１５０により用いて、展開用の適切な候
補の実装を選択することができる。
【００５５】
同様に図１０ｂを参照するに、マネージャ１５０は、展開処理中にホストディレクトリ
１２０の動作を起動することができる。マネージャ１５０は、ホストディレクトリ１２０
を用いて、指示されている（例えば、固有のパブリッシャＩＤにより指示されている）パ
ブリッシャ１６０によりパブリッシュされたウェブサービスの実装を展開しようとしてい
るサービスホスト１４７を識別する一組のホストディスクリプタを検索することができる
。マネージャ１５０は、サービスライブラリ１３０から検索されたサービスインプリメン
テーションディスクリプタと、ホストディレクトリ１２０から検索されたホストディスク
リプタとを比較して、ローカルポリシーに基づく適切な候補の展開プランを作成すること
ができる。プランが選択されると、マネージャ１５０は選択されたサービスホスト１４７
と連絡し、展開処理を開始することができる。
【００５６】
図１０ｃを参照するに、マネージャ１５０は、（ホストディスクリプタで記述された）
選択したサービスホスト１４７における展開に対し（サービスインプリメンテーションデ
ィスクリプタで記述された）適切なウェブサービスの実装を選択した後に、ホストディス
クリプタに含まれるサービスホスト１４７に結合しうるとともに“展開”（“deploy”）
動作を直接起動しうる。展開が成功すると、サービスホスト１４７は、新たに展開したウ
ェブサービスのエンドポイントを記述するサービスインスタンスディスクリプタをマネー
ジャ１５０に返信しうる。マネージャ１５０は次いで、このサービスインスタンスディス
クリプタをアクティブサービスディレクトリ２２０内に登録し、展開処理を終了させるこ
とができる。
【００５７】
図１０ｄを参照するに、上述したこととは相違し、サービスホスト１４７はこれらのド
メイン（例えば、これらの制御下にあるコンテナ）内で展開される各ウェブサービスのエ
ンドポイントに対し、利用データをそのウェブサービスのマネージングエントリに報告し
うる。サービスホスト１４７はローカルのポイントオブプレゼンス７２０に結合しうると
ともに、“Manager”のＵＲＩをデータが報告されているウェブサービスのＵＲＩに連結
させる（例えば、“WebServiceURI_ManagerURI”を得る）ことにより識別されるウェブサ
ービスの“reportUsageData”動作（“利用データを報告せよ”の動作）を起動しうる。
この“reportUsageData”動作は、この特定のウェブサービスに対する利用データを次に
報告するまでサービスホスト１４７が待つ必要がある時間長を表す数値を返信しうる。サ
ービスホスト１４７のローカルポリシーは、（ワーキングメモリのようなローカルのリソ
ースコンテナのために）利用データが要求よりも早期に返信されることを指示しうる。要
求された期間よりもかなり遅くデータを返信させることにより、サービスホスト１４７に
関する問題、すなわちサービスの利用可能性を有効に管理するためにマネージャ１５０が
決定しうる情報に関する問題があることをマネージャ１５０に指示することができる。
【００５８】
図１０ｅを参照するに、ウェブサービスのマネージャ１５０がこのウェブサービスのエ
ンドポイントを成功裏に展開又は展開解除すると、アクティブサービスディレクトリ２２
０内にエンドポイントリファレンスを加えるか又はこのアクティブサービスディレクトリ
内のエンドポイントリファレンスを除去することができる。マネージャ１５０は、ローカ
ルのポイントオブプレゼンスに結合し且つ適切なサービスインスタンスディスクリプタを
用いてアクティブサービスディレクトリ２２０のウェブサービスの“addActiveService”
動作（“アクティブサービスを加えよ”という動作）又は“removeActiveService”動作
（“アクティブサービスを除去せよ”という動作）を起動することができる。
【００５９】
例えば、マネージャ１５０は、これらが管理するウェブサービスのアクティブサービス
ディレクトリのエントリを維持する責任がある場合がある。サービスプロバイダの責任を
満足させる全てのエンティティのうち、マネージャ１５０はこれらの各々が管理するウェ
ブサービスの正確な公的な記録を、維持する上で最も関心があるものとみなしうる。その
理由は、ウェブサービスのプロビジョニングレベルを管理するこれらの責任を履行する場
合に決定する上でより重要な情報となりうる正確な利用データをこれらに与えることがで
きる為である。
【００６０】
以下の実施例により本発明を更に説明する。この実施例の使用は例示的なものであり、
本発明又は如何なる例示用語の範囲及び意味を制限するものではない。同様に、本発明は
ここに開示する如何なる特定の好適実施例に限定されるものでもない。実際に、本発明の
多くの変形例は、本明細書を読んだ当業者にとって明らかである。本発明は、特許請求の
範囲の権利となる全等価範囲とともにこの特許請求の範囲により理解すべきである。
【００６１】
本例では、図１１、図１２及び図１３を参照するに、前述した代表的なコンポーネント
の相互作用を、“DayTime”（“デイタイム”）と称するウェブサービスを提供及び起動
するためのエンドポイント展開、サービスの起動及び需要増大に伴う動的展開に対する単
一ステップとして用いて、手続きを説明する。
【００６２】
新たなウェブサービスのエンドポイントの展開は、図１１におけるように、マネージャ
１５０により実行しうる。マネージャ１５０は、新たな“DayTime”ウェブサービス１１
００のエンドポイント１１２０を使用可能にするために、サービスライブラリ１３０、ホ
ストディレクトリ１２０、１つ以上のサービスホスト１４７及びアクティブサービスディ
レクトリ２２０と相互作用する。
【００６３】
説明のためで本発明を限定するものではないが、新たなウェブサービスのエンドポイン
トを展開するために、マネージャ１５０は最初に有効な展開プラン（例えば、ホストディ
スクリプタ内に記述された“機能”と整合した“要求”を有するサービスインプリメンテ
ーションディスクリプタを具える展開プラン）を作成及び選択しうる。マネージャ１５０
は、サービスライブラリ１３０にコンタクト（連絡）し且つ“DayTime”ウェブサービス
のパブリッシュされた全ての実装の組を検索することから開始しうる。返信される各実装
は、サービスインプリメンテーションディスクリプタ１１３０であって、その各々が“パ
ブリッシャＩＤ”（“PnblisherID”）のエレメント１１３１を有している当該サービス
インプリメンテーションディスクリプタにより記述しうる。マネージャ１５０は、各実装
に対し、パブリッシャＩＤ１１３１を用いてホストディレクトリ１２０とコンタクトする
とともに、特定のパブリッシャにより書表されているプロバイダエージェントアプリケー
ションを展開しようとしているサービスホストの組を検索することができる。マネージャ
１５０は次いで、有効な展開プランの組を作成するとともに、ローカルポリシーに基づく
候補の中から１つを選択することができる。マネージャ１５０は次いで、展開プランを実
行し、選択されたホストディスクリプタ１１５０により記述されたサービスホスト１４０
にコンタクトさせ、選択されたサービスインプリメンテーションディスクリプタ１１３０
でその“展開”動作を起動させることができる。展開が成功すると、目標とするサービス
ホスト１４７は、エンドポイント１１２０を記述するサービスインスタンスディスクリプ
タ１１６０をマネージャ１５０に返信しうる。マネージャ１５０は、サービスインスタン
スディスクリプタ１１６０をアクティブサービスディレクトリ２２０内に挿入することに
より展開を終了させることができる。新たに展開されるエンドポイントがアクティブサー
ビスディレクトリ２２０内にリストアップされると、これを展開し、位置決めする準備状
態にあり、その動作をサービスコンシューマにより起動されるものとみなしうるものであ
る。
【００６４】
図１２を参照するに、サービスコンシューマ３１０によるサービス起動には、ローカル
のポイントオブプレゼンス３３０における結合及び起動用のウェブサービス動作を含める
ことができる。ローカルのポイントオブプレゼンス３３０は、起動要求を受信するのに応
答して、目標のウェブサービスのアクティブエンドポイントを位置決めするとともに、サ
ービスコンシューマのために要求された動作、例えば、“DayTime”ウェブサービス１１
１０の “getTime”（“ゲットタイム”）動作を起動する。
【００６５】
ローカルのポイントオブプレゼンス３３０は、コンシューマエージェント３２０のアプ
リケーションから起動要求を受信すると、最初に、到来する要求から所望のウェブサービ
スＵＲＩ１２１０を抽出しうる。ポイントオブプレゼンス３３０がエンドポイントキャッ
シュを実装する場合には、このポイントオブプレゼンスは最初に、以前に検索したエンド
ポイントのリストを局部的に検査しうる。このようなエントリが存在しない場合には、ア
クティブサービスディレクトリ２２０を用いて新たなリストを検索しうる。エンドポイン
トのリストが検索されると、ポイントオブプレゼンスは、ローカル選択ポリシーに応じて
使用するための１つを選択しうる。次に、ポイントオブプレゼンス３３０は、（メッセー
ジに対する可能な変更を含む）起動要求を準備し、選択されたウェブサービスのエンドポ
イントに結合し、起動要求を送付する。起動が何らかの理由で失敗すると、残りのアクテ
ィブエンドポイントに対し同じ処置を試みることができ、全てのエンドポイントが利用で
きないと分かると、一般的なエラーをサービスコンシューマ３１０に返信しうる。起動が
成功すると最初に、サービスコンシューマ３１０に返信して起動処理を結論付ける前に、
（この場合もメッセージに対する変更を含むことのできる）結果の応答を準備しうる。
【００６６】
図１３を参照するに、需要増大に伴う動的システムでは、例えば、現在アクティブエン
ドポイントが存在しないウェブサービスの動作の起動を含む現存の又は予期される事象に
応答してエンドポイントの展開を生ぜしめることができる。このような状況では、図１１
及び図１２を参照して上述した要旨を遂行しうる。例えば、アクティブサービスディレク
トリ２２０が“DayTime”ウェブサービス１１１０の全てのエンドポイントに対する要求
を受信すると、このアクティブサービスディレクトリは、現在何も展開されていないこと
を見つけることができる。このように、アクティブサービスディレクトリ２２０は、要求
されたウェブサービスの第１のインスタンスの展開を、このウェブサービスのマネージャ
１５０とコンタクトするとともに“requestFirstInstance”動作（“第１のインスタンス
を要求せよ”という動作）を起動することにより（必ずしも成立されないが）開始しうる
。この時点で、展開処理を上述したようにして実行しうる。すなわち、マネージャ１５０
が“requestFirstInstance”動作から戻されると、アクティブサービスディレクトリ２２
０は検索を再実行するとともに、新たに展開されたエンドポイント１１２０に対するリフ
ァレンスと、インフラストラクチュア中に現在利用できるリソースがあるものとした場合
に所定時に要求を満足し得ないということを表すエラーとの何れかを返信することができ
る。
【００６７】
説明したように、ウェブサービスを展開しうるようにするためには、マネージャ１５０
はこのウェブサービスに対し現在展開するようにする必要はない。ウェブサービスとして
実装が行なわれ、一般的又はカスタムとした或いはまたその双方としたサービス特有のマ
ネージャの実装がサービスライブラリ１３０内にパブリッシュされた場合には、マネージ
ャがこれらの特定のウェブサービスを管理するのに用いるのと同じ展開機構を用いて、ウ
ェブサービスのマネージャを展開及び管理することができる。この再帰的でコラプシブル
なモデルは、ウェブサービスインフラストラクチュアが、需要を満足するのに充分なウェ
ブサービスのエンドポイントを提供するように“ワウンドアップ”（“wound up”）とな
り、しかも需要がゼロに減少する場合にゼロのリソース消費の状態に“ワウンドダウン”
（“wound down”）となるようにしうる。
【００６８】
幾つかの実施例と関連して上述したように、幾つかのコンポーネント、例えば、１１０
、２１０及び３１０には、種々の機能を実行するためにコンピュータ、プロセッサ、回路
網、モバイル機器、クラスタ又はその他のハードウェアを設けうる。更に、本発明の要旨
の幾つかのエレメントは、コンピュータ可読媒体に記録しうるとともに実行した際にプロ
セッサが幾つかの機能を実行するようにするコンピュータ可読コードで構成することがで
きる。これらの実施例では、コンピュータが、ウェブサービスの提供及び消費の双方又は
何れか一方を達成してこのようなサービスをネットワーク、例えば、インターネットを介
して提供するシステム及び方法を可能にする際の重要な役割を奏する。例えば、コンピュ
ータ、プロセッサ、メモリ、記憶装置及びネットワークハードウェアの存在により、ウェ
ブサービスの環境を展開、消費及び管理するとともに、コンシューマの測定需要に基づい
てリソースを動的に適用及び再要求する能力を提供するものである。
【００６９】
更に、幾つかの実施例と関連して上述したように、幾つかのコンポーネントは、例えば
、ネットワーク、例えば、インターネットを介して幾つかの他のコンポーネントと通信し
うる。明確に上述していないが、本発明の要旨は、送信及び受信を含む各トランザクショ
ンの両側を含むようにするものである。上述した特徴事項に関して、あるコンポーネント
が他のコンポーネントに送信、供給又は利用しうるようにする場合には、他のコンポーネ
ントは明瞭に述べられているか否かを受信又は取得することを、当業者は容易に理解しう
るものである。
【００７０】
本発明の要旨の範囲は、ここに記載した特定の実施例により限定されるものではない。
実際に、ここに述べた実施例以外の本発明の要旨の変形例は、上述した記載及び添付図面
から当業者にとって明らかとなるものである。このような変形例も特許請求の範囲に入る
ものである。
【図１】
0006408545.tif 000002
【図２】
0006408545.tif 000003
【図３】
0006408545.tif 000004
【図４】
0006408545.tif 000005
【図５】
0006408545.tif 000006
【図６】
0006408545.tif 000007
【図７】
0006408545.tif 000008
【図８】
0006408545.tif 000009
【図９】
0006408545.tif 000010
【図１０ａ】
0006408545.tif 000011
【図１０ｂ】
0006408545.tif 000012
【図１０ｃ】
0006408545.tif 000013
【図１０ｄ】
0006408545.tif 000014
【図１０ｅ】
0006408545.tif 000015
【図１１】
0006408545.tif 000016
【図１２】
0006408545.tif 000017
【図１３】
0006408545.tif 000018